(57)【要約】システム、装置及び方法は、電子スパインと、電子スパインに着脱可能に取り付けられる１つ以上のデジタルページとを設けてよく、１つ以上のデジタルページは、第１フレキシブルディスプレイを備えた第１の側と、第２フレキシブルディスプレイを備えた第２の側とを含む。一例において、システムは磁気インターフェイスを更に含んでよく、デジタルページは、磁気インターフェイスを介して電子スパインに着脱可能に取り付けられる。
2019527372.tif 000002
【特許請求の範囲】
【請求項１】
電子スパインと、
前記電子スパインへ着脱可能に取り付けられる可とう性のデジタルページと
を有し、
前記可とう性のデジタルページは、第１フレキシブルディスプレイを備えた第１の側と、第２フレキシブルディスプレイを備えた第２の側とを含む、
対話型モバイルシステム。
【請求項２】
磁気インターフェイスを更に含み、
前記可とう性のデジタルページは、前記磁気インターフェイスを介して前記電子スパインへ着脱可能に取り付けられる、
請求項１に記載のモバイルシステム。
【請求項３】
前記磁気インターフェイスは、
前記電子スパインの外部表面に隣接して長手方向に位置付けられた第１の複数の磁気要素と、
前記可とう性のデジタルページのショルダーバンドに隣接して長手方向に位置付けられた第２の複数の磁気要素と
を含み、
前記第１の複数の磁気要素は、前記第２の複数の磁気要素と整列する、
請求項２に記載のモバイルシステム。
【請求項４】
前記電子スパインは、略平坦な外面を含み、
前記可とう性のデジタルページのショルダーバンドは、前記電子スパインの周囲周りでスライド可能である、
請求項１に記載のモバイルシステム。
【請求項５】
前記電子スパインは、
流体と、
前記流体の中で浮く金属物質と
を更に含む、
請求項４に記載のモバイルシステム。
【請求項６】
前記電子スパインは、該電子スパインの前記周囲周りに形成された金属インレーを更に含む、
請求項４に記載のモバイルシステム。
【請求項７】
前記電子スパインは、該電子スパインの前記周囲に隣接して位置付けられた金属インサートを更に含む、
請求項４に記載のモバイルシステム。
【請求項８】
前記電子スパインは、１つ以上のソケットを画定する表面を含み、
前記可とう性のデジタルページのショルダーバンドは、前記１つ以上のソケットのうちの１つの中に位置付けられる、
請求項１に記載のモバイルシステム。
【請求項９】
前記電子スパインは、複数のソケットを画定する表面を含み、
当該モバイルシステムは、複数のデジタルページを更に含み、該複数のデジタルページは、前記複数のソケットのソケット数以下であるデジタルページ数を有する、
請求項８に記載のモバイルシステム。
【請求項１０】
前記可とう性のデジタルページは、前記第１ディスプレイ及び前記第２ディスプレイを含む前記可とう性のデジタルページの領域と前記ショルダーバンドとの間に位置付けられた伸縮自在のヘッドバンドを含む、
請求項８に記載のモバイルシステム。
【請求項１１】
前記電子スパインの外側プロファイルは、円筒形状、半円筒形状又は四角柱形状のうちの１つにおいて実質的に形成される、
請求項１に記載のモバイルシステム。
【請求項１２】
ワイヤレス通信インターフェイスを更に含み、
前記電子スパイン及び前記可とう性のデジタルページは、前記ワイヤレス通信インターフェイスを介してデータを交換する、
請求項１に記載のモバイルシステム。
【請求項１３】
前記ワイヤレス通信インターフェイスは、容量結合コンポーネント、電磁結合コンポーネント、光結合コンポーネント、赤外線結合コンポーネント又は短距離無線コンポーネントのうちの１つ以上を含む、
請求項１２に記載のモバイルシステム。
【請求項１４】
前記データは、双方向で交換される、
請求項１２に記載のモバイルシステム。
【請求項１５】
前記データは、前記可とう性のデジタルページから前記電子スパインへ転送されるユーザ生成データを含み、該ユーザ生成データは、ブックマーク、手書きのメモ又はハイライトのうちの１つ以上を示す、
請求項１２に記載のモバイルシステム。
【請求項１６】
前記可とう性のデジタルページに対するイベントを検出し、該イベントに応答して前記第１ディスプレイ又は前記第２ディスプレイのうちの１つ以上で提示されているコンテンツを変更するコンテンツコントローラを更に含む
請求項１に記載のモバイルシステム。
【請求項１７】
前記イベントは、前記可とう性のデジタルページの動き又はユーザ生成データのうちの１つ以上を含み、
前記コンテンツコントローラは、前記イベントを、ページフリップ、データ取得要求又はデータ送信要求のうちの１つ以上として解釈する、
請求項１６に記載のモバイルシステム。
【請求項１８】
前記コンテンツコントローラは、前記電子スパイン内に位置付けられる、
請求項１６に記載のモバイルシステム。
【請求項１９】
前記コンテンツコントローラは、前記可とう性のデジタルページのショルダーバンド内に位置付けられる、
請求項１６に記載のモバイルシステム。
【請求項２０】
前記コンテンツコントローラは、ホストプロセッサ、グラフィクスアクセラレータ、メモリ又はオペレーティングシステムのうちの１つ以上において実装される、
請求項１６に記載のモバイルシステム。
【請求項２１】
前記電子スパインに取り付けられた１つ以上の硬質カバーを更に含む
請求項１に記載のモバイルシステム。
【請求項２２】
前記１つ以上の硬質カバーは、硬質ディスプレイを含むアクティブカバーを含み、
前記可とう性のデジタルページは、キーボードを提示する、
請求項２１に記載のモバイルシステム。
【請求項２３】
パッシブカバーを更に含み、
前記パッシブカバーは、カスタマイズ可能な外面を含む、
請求項２１に記載のモバイルシステム。
【請求項２４】
前記カスタマイズ可能な外面は、布、皮、キャンバス又はアクリルのうちの１つ以上を含む、
請求項２３に記載のモバイルシステム。
【請求項２５】
前記電子スパインへ結合された複数のデジタルページを更に含み、
前記複数のデジタルページの夫々は、メディアコンテンツの異なるページを提示する、
請求項１に記載のモバイルシステム。
【発明の詳細な説明】
【技術分野】
【０００１】
実施形態は、印刷媒体をまねる対話型モバイルシステムの使用に概して関係がある。より具体的には、実施形態は、相乗的なページ、スパイン、エッジエクステンション及び電力設計を有しているスマートブックシステムに関係がある。
【背景技術】
【０００２】
教科書、小説、雑誌、新聞、及び手帳のような、印刷された媒体は、情報の消費及び作成の両方のために使用され得る。最近のモバイルデバイス設計は、印刷された媒体の物理的な空間問題に対処し得るが、相当の改善の余地が残っている。例えば、従来のモバイルデバイスは、印刷された媒体と相互作用するユーザ経験を実際に模倣することができないことがある。結果として、情報消費及び情報作成の両シナリオは、ユーザの観点から次善であり得る。
【図面の簡単な説明】
【０００３】
実施形態の様々な利点は、続く明細書及び添付の特許請求の範囲を読むことによって、且つ、次の図面を参照することによって、当業者に明らかになるだろう。
【０００４】
【図１】実施形態に従って、略平坦な外面及び半円筒形状を備えた電子スパインを有しているモバイルシステムの例の斜視図である。
【図２Ａ】実施形態に従って、複数のソケットを画定する表面を備えた電子スパインを有しているモバイルシステムの例の開いた斜視図である。
【図２Ｂ】実施形態に従って、複数のソケットを画定する表面を備えた電子スパインを有しているモバイルシステムの例の閉じられた斜視図である。
【図３】実施形態に従って、略平坦な外面及び円筒形状を備えた電子スパインを有しているモバイルシステムの例の斜視図である。
【図４】実施形態に従って、半円筒形状の電子スパインと、エッジエクステンションを備えたデジタルページとを有しているモバイルシステムの例の斜視図である。
【図５Ａ】実施形態に従って、硬質カバーの例の斜視図である。
【図５Ｂ】実施形態に従って、カスタマイズ可能な外面を備えた硬質カバーの例の斜視図である。
【図６】実施形態に従って、角を折られたデジタルページの例の平面図である。
【図７】実施形態に従って、お互いと通信する複数のデジタルページの例の説明図である。
【図８Ａ】実施形態に従って、磁気ホワイトボードアプリケーションの例の説明図である。
【図８Ｂ】実施形態に従って、磁気ホワイトボードアプリケーションの例の説明図である。
【図９】実施形態に従って、デジタルページ間の情報の転送の例の説明図である。
【図１０Ａ】実施形態に従って、モバイルシステムの例となる使用構成の斜視図である。
【図１０Ｂ】実施形態に従って、モバイルシステムの例となる使用構成の斜視図である。
【図１０Ｃ】実施形態に従って、モバイルシステムの例となる使用構成の斜視図である。
【図１１Ａ】実施形態に従って、デジタルページの例の平面図である。
【図１１Ｂ】実施形態に従って、図１１Ａ中の線１１Ｂ−１１Ｂに沿った断面図である。
【図１１Ｃ】実施形態に従って、デジタルページの例のブロック図である。
【図１２】実施形態に従って、電子スパインとデジタルページとの間の磁気インターフェイス、ワイヤレス通信インターフェイス及び電力供給インターフェイスの例の説明図である。
【図１３】実施形態に従って、デジタルページショルダーバンド及び電子スパインの例の拡大された説明図である。
【図１４】実施形態に従って、一体化された磁気及び電力供給インターフェイスの例の断面図である。
【図１５Ａ】実施形態に従って、長手方向に間隔をあけられた磁気、通信及び電力供給セグメントを有している電子スパインの例の斜視図である。
【図１５Ｂ】実施形態に従って、磁化されたショルダーバンドへ結合された磁気セグメントの例の端面図である。
【図１５Ｃ】実施形態に従って、図１５Ａに表される電子スパインの例の端面斜視図である。
【図１６】実施形態に従って、伸縮自在のヘッドバンドを有している複数のデジタルページの例の斜視図である。
【図１７Ａ】実施形態に従って、複数のソケットを画定する表面を備えた電子スパインの例の拡大された斜視図である。
【図１７Ｂ】実施形態に従って、複数のソケットを画定する表面を備えた電子スパインの例の拡大された斜視図である。
【図１８Ａ】実施形態に従って、四角柱形状において実質的に形成されている電子スパインを有しているモバイルシステムの例の斜視図である。
【図１８Ｂ】実施形態に従って、四角柱形状において実質的に形成されている電子スパインを有しているモバイルシステムの例の平面図である。
【図１８Ｃ】実施形態に従って、四角柱形状において実質的に形成されている電子スパインを有しているモバイルシステムの例の側面図である。
【図１９】実施形態に従って、略平坦な外面及び円筒形状を備えた電子スパインを有しているモバイルシステムのためのページめくりシーケンスの例の説明図である。
【図２０Ａ】実施形態に従って、様々な磁気セグメントの例の斜視図及び端面図である。
【図２０Ｂ】実施形態に従って、複数の隣接するデジタルページの例の拡大された説明図である。
【図２０Ｃ】実施形態に従って、様々なページ接続配置における磁気セグメントの図の組である。
【図２０Ｄ】実施形態に従って、半円筒形状を有している磁気セグメントと磁化されたショルダーバンドとの間の相互作用の例の端面図である。
【図２０Ｅ】実施形態に従って、円筒形状を有している磁気セグメントと磁化されたショルダーバンドとの間の相互作用の例の端面図である。
【図２１Ａ】実施形態に従って、様々なページ接続配置において、流体の中で浮いている金属物質を有している磁気セグメントの図の組である。
【図２１Ｂ】実施形態に従って、金属物質を有している磁気セグメントの例の断面斜視図である。
【図２１Ｃ】実施形態に従って、円筒形状及び流体の中で浮いている金属物質を有している磁気セグメントの例の端面図である。
【図２２】実施形態に従って、発光ダイオード（ＬＥＤ）ストリップを有しているエッジエクステンションの例の斜視図である。
【図２３】実施形態に従って、異なる色の光を出力するＬＥＤストリップの例の斜視図である。
【図２４Ａ】実施形態に従って、取り付け前の複数の電力供給インターフェイスの例の斜視図及び端面図である。
【図２４Ｂ】実施形態に従って、取り付け後の複数の電力供給インターフェイスの例の斜視図及び端面図である。
【図２５】実施形態に従って、分離された磁気インターフェイス及び電力供給インターフェイスの例の説明図である。
【図２６】実施形態に従って、一体化された磁気インターフェイス及び電力供給インターフェイスの例の説明図である。
【図２７】実施形態に従って、電力供給インターフェイスの巻線構成の例の概略図である。
【図２８】実施形態に従って、デジタルページにおける磁石及びコイル構成の例の平面図である。
【図２９】実施形態に従って、配線及びビアパターンの例の説明図である。
【図３０】実施形態に従って、通信インターフェイス及び電力供給インターフェイスの例の概略図である。
【図３１】実施形態に従って、モバイルシステムの作動方法の例のフローチャートである。
【発明を実施するための形態】
【０００５】
これより図１を参照すると、対話型モバイルシステム１００が示されている。モバイルシステム１００では、複数の可とう性デジタルページ１０４が電子スパイン１０２に着脱可能に取り付けられている。モバイルシステム１００は、それが、従来の印刷媒体に対する多数の利点を提供しながら、例えば、教科書、小説、雑誌、新聞、手帳、などのような印刷媒体を厳密にまねる限りにおいて、“スマートブック”と見なされ得る。例えば、夫々の可とう性デジタルページ１０４は、ページ１０４の両側にフレキシブルディスプレイを含んでよく、ディスプレイ上で提示されるコンテンツは、システム１００が使用されている様態に基づきプログラム可能である。よって、デジタルページ１０４の両側性の性質は、システム１００のユーザがこれまでの“ページめくり”経験を有することを可能にし、一方で、比較的に大量のコンテンツ（ボリューム）が、よりずっと小さい物理空間に凝縮され得る。
【０００６】
更に、デジタルページ１０４を取り外し再び取り付ける能力は、ユーザがノートを取り及び／又は他の個人とコンテンツを共有し得る“手帳のような”経験をもたらし得る。表されている例では、電子スパイン１０２の外側プロファイルは、半円筒形状において実質的に形成されているが、他の形状が使用されてよい。その上、電子スパイン１０２は、表されている例において、略平坦な外面を含む。斯様な構成は、デジタルページ１０４のショルダーバンド（例えば、内縁に位置付けられた機械的なインターフェイス）が電子スパイン１０２の周囲周りでスライド可能であることを可能にし得る。他の構成も、更に詳細に論じられるように、使用されてよい。
【０００７】
モバイルシステム１００は、機械的な安定性、プライバシー及び／又は保護をデジタルページ１０４に提供する１つ以上の硬質カバー１０５（例えば、前面及び後面のカバー）を更に含んでよい。更に詳細に論じられるように、硬質カバー１０５は、アクティブ（例えば、タッチスクリーンを備える。）、パッシブ、及び／又はそれらのあらゆる組み合わせであってよい。電子スパイン１０２はまた、誘導充電インターフェイス（図示せず。）を介してデジタルページ１０４に充電及び／又は給電するためにも使用されてよい。一例において、電子スパイン１０２とデジタルページ１０４との間の着脱可能な取り付けは、磁気インターフェイス（図示せず。）を介して達成される。
【０００８】
図２Ａ及び２Ｂは、モバイルシステム１００（図１）とは異なった構成を有している対話型モバイルシステム１０６の開いた斜視図及び閉じられた斜視図を夫々示す。表されている例において、電子スパイン１０８は、複数のソケットを画定する表面を含み、デジタルページ１１０のショルダーバンドは、ソケット内に位置付けられている。斯様な場合に、デジタルページ１１０は、ショルダーバンドと、前面及び後面ディスプレイを含むデジタルページ１１０の領域との間に位置付けられた伸縮自在のヘッドバンド１１２を更に含んでよい。伸縮自在のヘッドバンド１１２は、従って、ユーザの観点からより厳密にページめくり経験を近似するために、デジタルページ１１０と電子スパイン１０８との間のインターフェイスでの柔軟性を高める（例えば、９０°屈曲旋回を橋渡しする。）。表されているシステム１０６は、前面カバー１１４及び後面カバー１１６を更に含み、カバー１１４、１１６は実質的に硬い（例えば、扱いを容易にし、プライバシーを強化し、及び／又は保護を提供するため。）。
【０００９】
図３は、円筒形状において実質的に形成されている外側プロファイルを備えた電子スパイン１２０を含む他の対話型モバイルシステム１１８を示す。然るに、デジタルページ１２２のショルダーバンド１２４は、“無限ページめくり”方法において電子スパイン１２０の全３６０°周囲の周りをスライドすることができる。よって、表されているモバイルシステム１１８は、新聞模倣シナリオにおいて特に有利であり得る。更に詳細に論じられるように、デジタルページ１２２は、デジタルページ１２２の外縁に結合された可とう性エクステンション１２６を更に含んでよく、可とう性エクステンション１２６は、ユーザがモバイルシステム１１８と更に相互作用することを可能にする（例えば、ページを選択すること、他のページ／デバイスとの通信をトリガすること、など）。
【００１０】
図３はまた、１つ以上のカメラ１１９がモバイルシステム１１８に組み込まれ得ることを明示する。表されている例において、カメラ１１９は、デジタルページ１２２のフレキシブルディスプレイと、電子スパイン１２０とへ結合されている。然るに、複数のページ１２２の組み合わせはまとまって、調整可能な角度で３次元（３Ｄ）画像捕捉アレイを形成し得る。ユーザによって変更可能である大開口は、３Ｄシーン生成、オブジェクト認識、スキャニング、などのために特に有利であり得る。この関連で、電子スパイン１２０は、１つ以上のカメラ１１９からの信号に基づきデジタルページ１２２のポジションを決定してよい。斯様なアプローチは、立体カメラ画像処理を行うときに有用であり得る。
【００１１】
これより図４を参照すると、他の対話型モバイルシステム１２８が示されている。表されている例において、電子スパイン１３０は、半円筒形状において実質的に形成されており、デジタルページ１３２は、デジタルページ１３２の表示部分の外縁へ結合された可とう性エクステンション１３４を含む。表されているシステム１２８は、従って、可とう性エクステンション１３４を付加して、既に説明されたモバイルシステム１００（図１）と同様である。
【００１２】
図５Ａは、機械的な安定性、プライバシー及び／又は保護を対話型モバイルシステムのデジタルページに提供するために使用され得る硬質カバー１３６（例えば、前面カバー、後面カバー）を示す。表されている例において、硬質カバー１３６は、例えば、表紙又は他のカスタマイズ可能なメッセージのような情報を視覚的に提示するために使用され得る実質的に非可とう性のディスプレイを含む。ディスプレイは、タッチスクリーンを含んでよい。更に、第２のディスプレイ又は他のアクティブ面（例えば、形態的外観を提供するＥＩＮＫ）が、硬質カバー１３６の他の側に位置付けられてよい。
【００１３】
図５Ｂは、機械的な安定性、プライバシー及び／又は保護を対話型モバイルシステムのデジタルページに提供するために同じく使用され得る硬質カバー１４０（例えば、前面カバー、後面カバー）を示す。表されている例において、硬質カバー１４０は、例えば、布、皮、キャンバス、アクリル（例えば、ＰＬＥＸＩＧＬＡＳ）など、又はそれらのあらゆる組み合わせのような、カスタマイズ可能な外面１４２を含むパッシブカバーである。
【００１４】
これより図６を参照すると、モバイルシステム１１８の使用例が示されており（図３も参照。）、一番右のデジタルページ１２２の角が（例えば、ユーザによって）曲げられている。可とう性エクステンション１２６は、デジタルページ１２２の角の曲げを検出し、その曲げに応答してページめくり（例えば、１ページ又は数ページ）のシミュレーションをトリガしてよい。特に注目すべきなのは、可とう性エクステンション１２６のユーザ操作は、ユーザが指でディスプレイをスワイプすること又は提示されているコンテンツを別なふうにふさぐことなしで、ページめくりが行われることを可能にする点である。結果として、読み取り（例えば、コンテンツ消費）プロセスは、中断なしで続くことができる。表されている例において、予め決定された（例えば、公開されている）コンテンツ及び突発的な（例えば、手書きの）コンテンツの両方ともが、デジタルページ１２２のフレキシブルディスプレイ上で視覚的に提示される。更に、電子スパイン１２０の円筒形状因子は、モバイルシステム１１８が運搬、積み込み、などのためにクルクルと巻かれる（例えば、雑誌で見られるように。）ことを可能にし得る。
【００１５】
図７は、複数のデジタルページ１４４（１４４ａ〜１４４ｎ）が対話型モバイルシステムから取り外され、例えば、指導者１４５によって、環境内の異なる個人（図示せず。）へ分配されるところの環境（例えば、教室）の平面図を示す。表されている例において、デジタルページ１４４は、データ（例えば、公開されているコンテンツ、手書きのコンテンツ、覚書、ブックマーク、ハイライト）を交換するためにお互いとワイヤレスに通信する。よって、テスト／試験小冊子の様々な部分は、各々のデジタルページ１４４へ適切なコンテンツを送信することによって、表されている例において、異なる個人によって取り組まれ／読まれ得る。表されている解決法は、従って、生徒プロフィールに基づいたエピソードにおけるテストの進捗又はより個人に合わせた試験（例えば、生徒の才能に基づいた個人学習経験／フォーカス）を可能にする。一例において、デジタルページ１４４が置かれるテーブル面は、２次的な誘導充電インターフェイス（図示せず。）を介してデジタルページ１４４を充電及び／又は給電するために使用されてよい。
【００１６】
これより図８Ａ及び８Ｂを参照すると、対話型モバイルシステム１５０のデジタルページ１４６がホワイトボード１４８に着脱可能に（例えば、磁気インターフェイスを介して）取り付けられている環境が示されている。表されている例は、個々のデジタルページ１４６が、例えば、関連するイメージ（例えば、より良い視認性のための大きい画像）、従属関係（例えば、どのように特定の歴史上の人物が時間にわたって影響力を有しているか）、などを示すよう配置されてよいことを明示する。図８Ｂにおいて最も良く示されているように、１つ以上の他のデジタルページ１５２は、例えば、ユーザの方でノートを取ることを容易にするために、モバイルシステム１５０の電子スパイン１５４に取り付けられたままであってよい。
【００１７】
図９は、情報転送使用シナリオを示す。表されている例において、第１デジタルページ２１６及び第２デジタルページ２１８は、対話型モバイルシステム２１４から取り外されている。第１デジタルページ２１６で提示されているコンテンツの一部は、第１デジタルページ２１６から第２デジタルページ２１８へワイヤレスで転送されてよい。
【００１８】
図１０Ａ〜１０Ｃは、対話型モバイルシステム１５６及び１６３の異なった使用シナリオを示す。例えば、図１０Ａは、システム１５６が、１つのデジタルページ１６０をソフトウェアキーボードとして動作するよう構成し（又はアクセサリキーボードを取り付け）、他のデジタルページ１６２をディスプレイとして動作するよう構成することによって、ノートブックコンピュータとして使用され得ることを明示する。それに反して、図１０Ｂは、システム１５６が回転される場合に本として使用され得ることを明示し、それによりデジタルページ１６２、１６４は本の内容を提示する。更に、図１０Ｃは、対話型モバイルシステム１６３が“対面（head-to-head）”シナリオ（例えば、バトルシップゲーム）で使用され得ることを明示し、このシナリオでは、異なるコンテンツが、同じデジタルページ１６４の両面を見ている複数のユーザに提示される。機械的な補剛材及び／又は補強材１６５が、ページ１６４を直立ポジションに保つようデジタルページ１６４に付加されてよい。
【００１９】
これより図１１Ａ及び１１Ｂを参照すると、デジタルページ１６６がより詳細に示されている。表されている例において、デジタルページ１６６の第１の側は、第１フレキシブルディスプレイ１６８を含み、デジタルページ１６６の第２の側は、第２フレキシブルディスプレイ１７０を含む。その上、ショルダーバンド１７２が、表示部分の内縁に結合されてよく、可とう性エクステンション１７４が、表示部分の外縁に結合されてよい。既に述べられたように、ショルダーバンド１７２は、電子スパイン（図示せず。）との着脱可能な取り付けインターフェイスとして機能し得る。ショルダーバンド１７２はまた、ワイヤレスな充電及びデータ送信をサポートし得る。その上、表されている可とう性エクステンション１７４は、フレキシブルディスプレイ１６８、１７０で提示されているコンテンツを選択し及び／又はそれと相互作用することをモバイルシステム１６６のユーザに可能にする。可とう性エクステンション１７４は、三角柱形状において実質的に形成されてよく、ユーザが握りやすいようテスクチャード加工の外面を含んでよい。
【００２０】
図１１Ｃは、デジタルページ１６６のブロック図を示す。表されている例において、ショルダーバンド１７２は、電力をデジタルページ１６６へ供給するよう、バッテリ１７６（例えば、電子スパインによって充電されるスーパーキャパシタ（図示せず。））及び電力コンバータ１７８を含む。その上、２次ワイヤレス電源ユニット１８０が、デジタルページ１４４（図７）に関して論じられているように、例えば、タブレットのような、他のソースから、電力を受けてよい。ショルダーバンド１７２は、フレキシブルディスプレイ１６８、１７０を含む表示部分１８４を制御するディスプレイドライバ１８２を更に含んでよい。ディスプレイドライバ１８２はまた、検知及び入出力（ＩＯ）サポートを提供し得る。表されているショルダーバンド１７２は、システムメモリ１８６（例えば、動的ランダムアクセスメモリ／ＤＲＡＭ）及びホストプロセッサ１８８（例えば、中央演算処理装置／ＣＰＵ、グラフィクスアクセラレータ）を更に含む。ホストプロセッサ１８８は、メディアコンテンツをフォーマットし、システムメモリ１８６を使用してデジタルページ１６６の動作中にデータ及び／又はコマンドを記憶してよい。通信インターフェイス１９０（例えば、ＩＯ）は、デジタルページ１６６と電子スパイン及び／又は他のデジタルページ（図示せず。）との間の通信を助けることができる。デジタルページ１６６は、揮発性データとともに、メディアコンテンツ、ユーザ好み、などに関連したページデータを記憶するために使用される不揮発性メモリ１９４（ＮＶＭ）を更に含んでよい。
【００２１】
表されているデジタルページ１６６は、コンテンツコントローラ１９２を更に含み、コンテンツコントローラ１９２は、デジタルページ１６６に対するイベントを検出し、イベントに応答してフレキシブルディスプレイ１６８、１７０で提示されているコンテンツを変更してよい。イベントは、例えば、デジタルページ１６６の動き、ユーザ生成データ、などを含んでよく、コンテンツコントローラ１９２は、イベントを、ページフリップ、データ取得要求、データ送信要求、などと解釈してよい。コンテンツコントローラ１９２は、代替的に、ホストプロセッサ１８８（例えば、構成可能なロジック及び／又は固定機能ロジックハードウェアとして。）、システムメモリ１８６、ＮＶＭ１９４、オペレーティングシステム（ＯＳ）若しくはホストプロセッサ１８８で実行される他のアプリケーション、及び／又は電子スパイン（図示せず。）に組み込まれてよい。
【００２２】
その上、光センサ１９６（例えば、ページの両面にある。）は、照度測定信号を生成してよく、ディスプレイドライバ１８２は、フレキシブルディスプレイ１６８、１７０が見られていない（例えば、無／低光状態にある）ことを照度測定信号が示す場合に、電力を節約するために、フレキシブルディスプレイ１６８、１７０のうちの１つ以上を非アクティブにしてよい。これに関連して、ショルダーバンド１７２は、ディスプレイ１６８、１７０のうちの１つ以上が非アクティブ化されているときでさえ、フレキシブルディスプレイ１６８、１７０からタッチ入力を収集し続けてよい。例えば、ユーザが第１フレキシブルディスプレイ１６８を見ており、一方、第２フレキシブルディスプレイ１７０が非アクティブ化されている場合には、ユーザの指と第２フレキシブルディスプレイ１７０との間の接触は、ページめくりシミュレーションを制御するよう、ユーザの親指と第１フレキシブルディスプレイ１６８との間の接触と併せて使用されてよい。例えば、第２フレキシブルディスプレイ（例えば、背面ページ）に対する人差し指のわずかな動き及び／又は押圧は、コンテンツの別のページが第１フレキシブルディスプレイ１６８で提示されるようにしてよい。光センサ１９６は、状況に応じて、表示部分１８４において任意に位置付けられてよい。
【００２３】
表されているデジタルページ１６６は、モーション測定信号を生成するモーションセンサ１９８を更に含み、ディスプレイドライバ１８２は、ＯＳと協力して、更にモーション測定信号に基づき、フォーマットされたメディアコンテンツをフレキシブルディスプレイ１６８、１７０のうちの１つ以上へ送る。例えば、モーション測定信号は、第２フレキシブルディスプレイ１７０が表を上にし、第１フレキシブルディスプレイ１６８が表を下にするように、表示部分１８４が回転された（例えば、向きを変えられた）ことを示し得る。斯様な場合に、次のページのためのメディアコンテンツは、第２フレキシブルディスプレイ１７０へ送られ、一方、第１フレキシブルディスプレイ１６８は非アクティブ化される。
【００２４】
デジタルページ１６６は、例えば、Ｂｌｕｅｔｏｏｔｈ（登録商標）インターフェイス２００（ＢＴ，Ｂｌｕｅｔｏｏｔｈ  Ｃｏｒｅ  Ｓｐｅｃｉｆｉｃａｔｉｏｎ  Ｖｅｒｓｉｏｎ  ４．０，２０１０年６月３０日，Ｂｌｕｅｔｏｏｔｈ  Ｓｐｅｃｉａｌ  Ｉｎｔｅｒｅｓｔ  Ｇｒｏｕｐ／ＳＩＧ）及び／又はＷｉＦｉインターフェイス２０２（Ｗｉｒｅｌｅｓｓ  Ｆｉｄｅｌｉｔｙ，例えば、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ／ＩＥＥＥ  ８０２．１１−２００７，Ｗｉｒｅｌｅｓｓ  Ｌｏｃａｌ  Ａｒｅａ  Ｎｅｔｗｏｒｋ／ＬＡＮ  Ｍｅｄｉｕｍ  Ａｃｃｅｓｓ  Ｃｏｎｔｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ）のような、ワイヤレス通信インターフェイスを更に含んでよい。インターフェイス２００、２０２は、例えば、他のデジタルページとの通信を助けることができる。
【００２５】
デジタルページ１６６は、周囲の画像を捕捉するカメラ２０３を（例えば、ページの両面に）更に含んでよい。既に述べられたように、複数のページの組み合わせはまとまって、調整可能な角度で３次元（３Ｄ）画像捕捉アレイを形成してよい。然るに、ユーザによって変更可能である大開口は、３Ｄシーン生成、オブジェクト認識、スキャニング、などに特に有利であり得る。
【００２６】
表されている可とう性エクステンション１７４は、３次元（３Ｄ）ユーザ入力を検出し、その３Ｄユーザ入力をコンテンツコントローラ１９２へ送るエッジモニタ２０４を含む。３Ｄユーザ入力は、例えば、可とう性エクステンション１７４の圧搾、引っ張り、軽打、ドラッグ及び／又は折り曲げを含んでよい。その上、１つ以上のセンサ２０６が、エッジモニタ２０４及び可とう性エクステンション１７４の筐体へ結合されてよい。センサ２０６は、例えば、ひずみゲージ、圧電トランスデューサ、など、又はそれらの組み合わせを含んでよい。可とう性エクステンション１７４は、例えば、本の数ページをめくることのユーザへの“さざなみ（ripple）”感覚をまねる触覚フィードバック要素２０８（例えば、振動器、不平衡モニタ）を更に含んでよい。
【００２７】
更に詳細に論じられるように、可とう性エクステンション１７４は、通知を生成する１つ以上の発光ダイオード（ＬＥＤ）２１０を更に含んでよい。通知は、例えば、特定のページに到達したこと、データが送られたこと、データが受信されたこと、などを示してよい。一例において、１つ以上の光検出器２１２が可とう性エクステンション１７４内に位置付けられる。斯様な場合に、ＬＥＤ２１０は、アウトバウンドデータを（例えば、他のデジタルページ（図示せず。）へ）送信してよく、光検出器２１２は、インバウンドデータを（例えば、他のデジタルページ（図示せず。）から）受信してよい。インバウンドデータ及びアウトバウンドデータは、例えば、メディアコンテンツ、メディアコンテンツへのブックマーク、メディアコンテンツに関する手書きのメモ、メディアコンテンツのハイライト、など、又はそれらの組み合わせを示してよい。更に、複数のＬＥＤ２１０が可とう性エクステンション１７４に沿って長手方向に位置付けられ、ＬＥＤ２１０のうちの２つ以上が、タブ（例えば、異なるブックマーク及び／又はインタラクティブ機能を示す。）を模すよう異なる色の光を出力してよい。
【００２８】
図１２は、電子スパイン２２０とデジタルページ２２２との間のインターフェイスの組を示す。より具体的には、磁気インターフェイス２２４は、デジタルページ２２２が電子スパインに着脱可能に取り付けられることを可能にし得る。表されている磁気インターフェイス２２４は、電子スパイン２２０の外部表面に隣接して長手方向に位置付けられた第１の複数の磁気要素２２６と、デジタルページ２２２のショルダーバンド２３０に隣接して長手方向に位置付けられた第２の複数の磁気要素２２８とを含む。表されている例において、第１の複数の磁気要素２２６は、第２の複数の磁気要素２２８と整列する。
【００２９】
その上、電力供給インターフェイス２３１は、デジタルページ２２２のワイヤレス（例えば、誘導）充電を提供し得る。例えば、１つ以上の誘導電力送信器２３４が、電子スパイン２２０内に（例えば、長手方向に）位置付けられてよく、１つ以上の誘導電力受信器２３６が、ショルダーバンド２３０内に（例えば、長手方向に）位置付けられてよい。更に、電力送信器２３４は、磁気インターフェイス２２４のおかげで電力受信器２３６と磁気的に整列し得る。
【００３０】
表されている配置は、ワイヤレス通信インターフェイス２３８を更に含み、電子スパイン２２０及びデジタルページ２２２は、データを、ワイヤレス通信インターフェイス２３８を介して交換する。より具体的には、ワイヤレス通信インターフェイス２３８は、容量結合コンポーネント、電磁結合コンポーネント、光結合コンポーネント（例えば、ＬＥＤ及び光検出器）、赤外線（ＩＲ）結合コンポーネント、短距離無線コンポーネント（例えば、ＢＴ、ＷｉＦｉ）、など、又はそれらのあらゆる組み合わせを含んでよい。これに関連して、データは双方向に交換されてよい。更に、データは、デジタルページ２２２から電子スパイン２２０へ転送されるユーザ生成データを含んでよく、ユーザ生成データは、ブックマーク、手書きのメモ、ハイライト、などを示す。特に注目すべきなのは、インターフェイス領域が対称的である場合に、デジタルページ２２２は、エラー発生なしで逆さまに取り付けられ得る点である（例えば、完全に対称な向き）。
【００３１】
図１３は、ショルダーバンド２３０に対する電子スパイン２２０（更に図１２も参照。）の拡大を示す。ショルダーバンド２３０は、既に論じられたショルダーバンド１７２（図１１Ｃ）と同様であってよい。表されている例において、電力変換回路コンポーネント２４４は、電力をデジタルページへ供給するよう、ショルダーバンド２３０内の電力コンバータ２４６と協働する。既に述べられたように、ショルダーバンド２３０は、バッテリ２５０及び２次ワイヤレス電源ユニット２５２を含んでよい。その上、電子スパイン２２０に含まれるディスプレイドライバ回路２４８は、デジタルページのフレキシブルディスプレイを制御するよう、ショルダーバンド２３０内のディスプレイドライバ２５４と協働し、又はその代わりにされてよい。表されている電子スパイン２２０は、半円筒形状を有しており、メディアコンテンツをフォーマットし及び／又は、例えば、コンテンツコントローラ１９２（図１１Ｃ）のようなコンテンツコントローラの動作を実行するためにホストプロセッサ２５８（例えば、ＣＰＵ，グラフィクスアクセラレータ）と協働し又はその代わりにされるプロセッサ回路２５６を更に含む。プロセッサ回路２５６は、ショルダーバンド２３０内のホストプロセッサ２５８によるシステムメモリ２６２の使用とともに、システムメモリ２６０を使用してよい。電子スパイン２２０は、電子スパイン２２０とショルダーバンド２３０との間のデータの交換中にショルダーバンド２３０内の通信インターフェイス２６６（例えば、ＩＯ）と協働するＩＯ回路２６４を更に含んでよい。
【００３２】
一例において、電子スパイン２２０は、メディアコンテンツ、ユーザ好み、揮発性データ、などに関連したページデータを記憶するためにショルダーバンド２３０内のＮＶＭ２７０とともに使用されるＮＶＭ回路２６８を更に含む。更に、電子スパイン２２０は、モーション測定信号の処理においてモーションセンサ２７４と協働するモーションセンサ回路２７２を含んでよい。例えば、ＢＴ回路２７６及びＷｉＦｉ回路２７８のようなワイヤレス通信回路は、ショルダーバンド２３０内のＢＴインターフェイス２８０又はＷｉＦｉインターフェイス２８２と夫々協働し、又はその代わりにされてよい。ショルダーバンド２３０は、照度測定信号を生成する光センサ２８４を更に含んでよく、ディスプレイドライバ２５４及び／又はディスプレイドライバ回路２４８は、フレキシブルディスプレイが見られていないことを照度測定信号が示す場合に選択的にフレキシブルディスプレイを非アクティブにしてよい。
【００３３】
これより図１４を参照すると、電子スパイン２８７とデジタルページ２８８との間の一体化された磁気及び電力供給インターフェイスの断面図が示されている。表されている例において、電子スパイン２８７は、磁気コア材料２９２、１次コイル／巻線２９４、及び磁気コア材料２９２と電子スパイン２８７の筐体との間に位置付けられた複数の金属ビーズ２９６を含む。その上、デジタルページ２８８のショルダーバンド２９０は磁石及びコイル（図示せず。）を含んでよく、１次巻線２９４に電流を流すことは、誘導充電経路２９８を発生させ、一方、誘引磁力は、電子スパイン２８７及びショルダーバンド２９０をお互いとの接触に引き込む。デジタルページ２８８は、従って、誘導充電経路２９８を保ちながら、電子スパイン２８７の周囲周りでスライドし得る。
【００３４】
図１５Ａは、長手方向に間隔をあけられた磁気要素３０６（例えば、金属インレー）、受信通信要素３０８、送信通信要素３１０及び電力供給要素３１２を備えた電子スパイン３０４の斜視図を示す。ショルダーバンド（図示せず。）は、電子スパイン３０４の要素３０６、３０８、３１０、３１２と整列するよう長手方向に間隔をあけられている対応する要素を有し得る。図１５Ｂは、ショルダーバンド３１４が電子スパイン３０４への着脱可能な取り付けを容易にするよう磁化構成を設けられてよいことを明示する。その上、図１５Ｃは、電子スパイン３０４がスパイン３０４の様々な電子部品を収容するよう１つ以上の凹部を画定する表面を含んでよいことを明示する。
【００３５】
図１６は、例えば、既に論じられた電子スパイン１０８（図２Ａ及び２Ｂ）のような、ソケット付きの電子スパインとともに使用され得る複数のデジタルページ３００（３００ａ〜３００ｃ）を示す。表されている例において、デジタルページ３００は、伸縮自在のヘッドバンド３０２（３０２ａ〜３０２ｃ）を含む。伸縮自在のヘッドバンド３０２は、ユーザの観点からページめくり経験をより厳密に近似するために、柔軟性を高め得る。
【００３６】
これより図１７Ａ及び１７Ｂを参照すると、ソケット付きの電子スパイン３１６及び３１８が夫々示されている。電子スパイン３１６は５個のソケットを含み、一方、電子スパイン３１８は１２個のソケットを含む。然るに、ソケットの数（例えば、ソケット数）は、状況及び期待される使用シナリオに応じて変化し得る。いずれの例でも、デジタルページ上で提示される印刷媒体ページの数（印刷ページ数）は、ソケットの数よりも大幅に多くてよい（例えば、記憶、送信又は計算リソースによってしか制限されない。）。更に、デジタルページの数（例えば、デジタルページ数）は、表されている例においてソケット数以下である。
【００３７】
図１８Ａ〜１８Ｃは、電子スパイン３１８を含む対話型モバイルシステム３２０を示し、電子スパイン３２８は、四角柱形状において実質的に形成される。表されているモバイルシステム３２０は、第１フレキシブルディスプレイ３２２を備えた第１の側と、第２フレキシブルディスプレイ３２４を備えた第２の側と、デジタルページの表示部分の外縁へ結合されている可とう性エクステンション３３０とを更に含む。電子スパイン３２８は、従って、電子スパイン３２８が処理サポートをデジタルページに提供する限りにおいて、“計算スパインスティック”と見なされ得る。図１８Ｃで最も良く見られるように、第１フレキシブルディスプレイ３２２は、第１のテクスチャード加工されたタッチ面３３２を含んでよく、第２フレキシブルディスプレイ３２４は、第２のテクスチャード加工されたタッチ面３３４を含んでよい。表面３３２、３３４をテクスチャード加工すること（例えば、溝を付けること）は、フレキシブルディスプレイ３２２、３２４が印刷媒体（例えば、紙、キャンバス）の手触り及び感覚を模倣することを可能にし得る。その上、ひずみゲージの第１アレイ３３６が第１タッチ面３３２へ結合されてよく、ひずみゲージの第２アレイ３３８が第２タッチ面３３４へ結合されてよい。斯様な場合に、ひずみゲージ３３６、３３８は、フレキシブルディスプレイ３２２、３２４と、例えば、スタイラス、電子ペン、電子ハイライトマーカー、及び／又は電子ブラシの荒毛／毛のような、筆記用具との間の接触を定量化するよう測定信号を生成し得る。実際に、容量及び圧力センサ測定のデータ融合は、例えば、メモを書いているときに表示面に触れているユーザの手により生じるノイズの改善された抑制を可能にし得る。
【００３８】
図１９は、略平坦な外面及び円筒形状を備えた電子スパイン３４０を有しているモバイルシステムについての無限のページめくりシーケンスを示す。第１の状態３４２で、モバイルシステムはノートブック形状因子にある。第２の状態３４３で、ユーザ（図示せず。）は、電子スパイン３４０の周りの第１デジタルページ３４４の回転を開始する。第３の状態３４６で、第１デジタルページ３４４は、第２デジタルページ３４８の後ろに回転される。第４の状態３５０で、第１デジタルページ３４４は、完全に第２デジタルページ３４８の後ろにある。然るに、メディアコンテンツは、実質的にエンドレスにディスプレイ３４４、３４８の前面及び後面で順次提示され得る。
【００３９】
図２０Ａは、周囲周りに形成された金属インレーを備えた磁気セグメント３５２及び周囲に隣接して位置付けられた金属インサートを備えた磁気セグメント３５４の斜視図及び端面図を夫々示す。セグメント３５２、３５４は、デジタルページとの着脱可能な取り付けを達成するために電子スパインにおいて使用されてよい。図２０Ｂは、複数の隣接するショルダーバンド３５６（３５６ａ〜３５６ｃ）の拡大図を示す。ショルダーバンド３５６は、ショルダーバンド３５６がお互いに引き付けられないようにする極性（例えば、永久磁化）を有している。図２０Ｃは、異なる取り付け状態にある磁気セグメント３５４を示す。第１の状態３５８において、磁気セグメント３５４は、いずれのショルダーバンドにも取り付けられていない。第２の状態３６０において、磁気セグメント３５４は、単一のショルダーバンド３６２に取り付けられている。第３の状態３６４において、磁気セグメント３５４は、複数のショルダーバンド３６２に取り付けられている。図２０Ｄ及び２０Ｅは、円筒形状の磁気セグメント３６６と比較して、半円筒形状の磁気セグメント３５４の動作の範囲を説明する。
【００４０】
これより図２１Ａを参照すると、他の磁気セグメント３６８が、異なる取り付け状態において示されている。表されている磁気セグメント３６８は、流体３７０（例えば、潤滑油）と、流体３７０の中に浮いている金属物質３７２（例えば、ベアリング）とを含む。第１の状態３７４において、磁気セグメント３６８は、いずれのショルダーバンドにも取り付けられていない。第２の状態３７６において、磁気セグメント３６８は、単一のショルダーバンド３６２に取り付けられており、金属物質３７２は磁界に従い、単一のショルダーバンド３６２に対して取り付け点を提供する。第３の状態３７８において、磁気セグメント３６８は、複数のショルダーバンド３６２に取り付けられている。表されている例において、金属物質３７２は複数の磁界に従い、ショルダーバンド３６２に対して複数の取り付け点を形成する。流体３７０は、磁気セグメント３６８の周囲周りでのショルダーバンド３６２の運動中の可聴ノイズ及び機械抵抗を低減し得る。図２１Ｂは、磁気セグメント３６８の断面斜視図を示し、図２１Ｃは、流体３８２と、流体の中に浮いている金属物質３８４とを有している円筒磁気セグメント３８０の端面図を示す。
【００４１】
［可とう性のエクステンション］
図２２は、例えば、デジタルページのような電子サブシステム３８８の外縁に結合された可とう性のエクステンション３８６を示す。電子サブシステム３８８は、例えば、イーブック（電子ブック）リーダー、タブレットコンピュータ、スマートフォン、などのような、他のディスプレイに基づいたデバイスを含んでよい。表されているエクステンション３８６は、一般的に、テクスチャード加工された外面と、三角柱形状（三角形断面）において実質的に形成されている外側プロファイルとを含む。然るに、エクステンション３８６は、電子サブシステム３８８のユーザによって容易につかまれて操作され得る。これに関連して、可とう性のエクステンション３８６は、例えば、エッジモニタ２０４（図１１Ｃ）のような、エッジモニタを含んでよい。エッジモニタは、３Ｄユーザ入力を検出し、その３Ｄユーザ入力を、例えば、コンテンツコントローラ１９２（図１１Ｃ）のような、コンテンツコントローラへ送るよう構成される。
【００４２】
更に、可とう性のエクステンション３８６は、例えば、エッジモニタ及び可とう性のエクステンション３８６の筐体へ結合されたセンサ２０６（図１１Ｃ）のような、１つ以上のセンサを更に含んでよく、センサは、ひずみゲージ、圧電トランスデューサ、など、又はそれらのあらゆる組み合わせを含む。然るに、３Ｄユーザ入力は、例えば、可とう性のエクステンション３８６の圧搾、可とう性のエクステンション３８６の引っ張り、可とう性のエクステンション３８６の軽打、可とう性のエクステンション３８６のドラッグ、可とう性のエクステンション３８６の折り曲げ、などを含んでよい。可とう性のエクステンション３８６は、例えば、触覚フィードバック要素２０８（図１１Ｃ）のような、触覚フィードバック要素を更に含んでよい。
【００４３】
一例において、可とう性のエクステンション３８６は、可とう性のエクステンション３８６に沿って長手方向に位置付けられたＬＥＤ３９０のストリップを更に含む。ＬＥＤ３９０は、通知（例えば、特定のページに達したこと、データが送られたこと、データが受信されたこと、などを示す。）を生成するために使用されてよいが、ＬＥＤ３９０は、より複雑な動作を実行するためにも使用されてよい。例として、例えば、光検出器２１２（図１１Ｃ）のような、１つ以上の光検出器も可とう性のエクステンション３８６内に位置付けられている場合には、可とう性のエクステンション３８６は双方向通信をサポートし得る。より具体的には、ＬＥＤ３９０はアウトバウンドデータを（例えば、他の電子サブシステムへ）送信してよく、光検出器はインバウンドデータを（例えば、他の電子サブシステムから）受信してよい。インバウンドデータ及びアウトバウンドデータは、メディアコンテンツ、メディアコンテンツへのブックマーク、メディアコンテンツに関する手書きのメモ、メディアコンテンツのハイライト、などを示してよい。如何なる適切な変調スキームも、データを光学的に送信及び受信するために使用されてよい。
【００４４】
図２３は、可とう性のエクステンション３９２（３９２ａ〜３９２ｇ）が複数のセグメントに分けられ、異なるセグメントにあるＬＥＤが異なる色の光を出力し得ることを説明する。例えば、第１セグメント３９２ａは、マゼンタ光を出力してよく、第２セグメント３９２ｂは、黄色光を出力してよく、第３セグメント３９２ｃは、緑色光を出力して、第４セグメント３９２ｄは、青色光を出力してよく、以降同様に続く。斯様なアプローチは、追加情報がユーザへ伝えられることを可能にし得る。例えば、夫々の色は、本の特定のページのタブ／ブックマークを表し得る。他の例において、異なる色は、ユーザによってトリガされ得る異なるインタラクティブ機能に対応してよい。よって、マゼンタ色の第１セグメント３９２ａを折り曲げることは、電子サブシステム３８８に、現在のページからの情報を他の電子サブシステム（図示せず。）へ送信させ得る。他方で、黄色の第２セグメント３９２ｂを折り曲げることは、電子サブシステム３８８に、メディアコンテンツを他の電子サブシステムに要求させ得る。可とう性のエクステンション３９２及び／又は可とう性のエクステンション３８６（図２２）は、多種多様な設定において有意な相乗効果を達成するよう、例えば、デジタルページ、電子スパイン及び／又は電力供給ソリューションのような、本明細書で記載されている他のソリューションと組み合わされてよい。
【００４５】
［電力供給］
図２４Ａは、３つの電力供給インターフェイスを、それらのうちの２つの取り付け前について示す。より具体的には、誘導電力送信器３９４は、電子スパインのような第１コンポーネント（図示せず。）内に位置付けられてよい。その上、第１の誘導電力受信器３９６は誘導電力送信器３９４から取り外されており、第２の誘導電力受信器３９８は誘導電力送信器３９４から取り外されており、第３の誘導電力受信器４００は誘導電力送信器３９４に取り付けられている。電力送信器３９４は、１次コイルを備えた半円筒形のボビンコアを含んでよく、電力受信器３９６、３９８、４００は、Ｕ字形の２次コイル及び対応する２次巻線を含んでよい。夫々の電力受信器３９６、３９８、４００が、図２４Ｂに示されるように、電力送信器３９４の近傍内に入るにつれて、１次コイルに流れる電流は、２次コイルにおいて充電電流を引き起こし得る。よって、電力受信器３９６、３９８、４００は、例えば、デジタルページのような、第２コンポーネントを充電するために、その第２コンポーネント内に位置付けられてよい。
【００４６】
図２５は、１つ以上の磁石セット４０２（例えば、ネオジム永久磁石）が誘導電力送信器４０４のコアと誘導電力受信器４０６のコアとの間のアライメントを確かにし得ることを説明する。磁気アライメントは、性能及び／又は充電効率を最適化し得る。表されている例において、磁石セット４０２は、整列されているコアに隣接する。
【００４７】
図２６は、１つ以上の磁石セット４０８が誘導電力送信器４１０及び誘導電力受信器４１２のコアに組み込まれ得ることを説明する。先と同じく、磁石セット４０８によって提供される磁気アライメントは、表されている例において、性能及び／又は充電効率を最適化する。
【００４８】
これより図２７を参照すると、巻線構成４１４が示されている。表されている例において、複数の２次巻線は複数の１次巻線に誘導結合される。２次巻線の一部は、電力供給のためにインダクタを結合し整列させるよう使用されてよく、一方、他の２次巻線は、データを交換するために使用されてよい。
【００４９】
図２８は、デジタルページ４１６における磁石及びコイル構成を示す。表されている例において、第１領域４１５は、磁石及びコイルを含み、第２領域４１７も、磁石及びコイルを含む。然るに、電力供給及びデータ送信の両方ともが、冗長性を達成するために複製され得る。電力供給要件に応じて、ワイヤレス電力供給要素は、電子スパイン（図示せず。）に沿って然るべく設けられてよい。
【００５０】
図２９は、誘導電力受信器がパターン化された３層インダクタ４１８を含み得ることを説明する。より具体的には、磁気ラミネート４２０（例えば、平面インダクタ材料）が、ビア４２４によって相互接続されている配線４２２間に“挟まれ”てよい。表されている例において、高い磁気特性（例えば、比透磁率μｒ）を有している材料が、インダクタ４１８の相対的な薄さを補償するためにインダクタコアを形成するよう使用されてよい。斯様な材料の例には、制限なしに、ミューメタル、パーマロイ及び／又はスーパーマロイがある。
【００５１】
例えば、磁石は、直列接続された磁気回路の部分として使用されてよく、一方で、ネオジム希土類永久磁石は、空気と略同じである、非常に低い比透磁率μｒ＝１．０５を有している。インダクタ又は変圧器コアが比透磁率μｒ＝１０００を有することは一般的であるから、直列磁石は、１次及び２次コアの結合を低減し得る磁気回路内の低リアクタンス“空隙”に相当するものを本質的に表す。誘導電力受信器を形成する誘導コアは、物理的に小さくてよく、一方で、μｒ＝５０，０００を有するコア材料は、それらのより小さい寸法での設計を可能にし得る。よって、例えば、８０ｋＨｚのスイッチング周波数によれば、１０から４００μＨの変圧器自己インダクタンスは、１つ以上の取り付けられたデジタルページの存在により大いに下がり得る５から２００Ωの誘導リアクタンスを与えることができる。
【００５２】
これより図３０を参照すると、一体化された通信及び電力供給インターフェイス４２６が示されている。表されている例において、第１コンポーネント４２８（例えば、電子スパイン）は、充電式バッテリ４３０と、第１インターフェイスマネージャ４３２と、充電式バッテリ４３０及び第１インターフェイスマネージャ４３２へ結合された直流（ＤＣ）−交流（ＡＣ）コンバータ４３４とを含む。その上、１つ以上の誘導電力送信器は、分離可能な変圧器コア４３６と、ＤＣ−ＡＣコンバータ４３４へ結合された１つ以上の巻線４３８とを含んでよい。
【００５３】
その上、第２コンポーネント４４０（例えば、デジタルページ）は、第２インターフェイスマネージャ４４２と、分離可能な変圧器コア４４８を有している誘導電力受信器の１つ以上の巻線４４６及び第２インターフェイスマネージャ４４２へ結合されたＡＣ−ＤＣコンバータ４４４とを含んでよい。第２コンポーネント４４０は、ＡＣ−ＤＣコンバータ４４４へ結合された電荷蓄積コンポーネント４５０（例えば、スーパーキャパシタ）を更に含んでよく、電荷蓄積コンポーネント４５０は、第２コンポーネント４４０の負荷に給電する。
【００５４】
第１インターフェイスマネージャ４３２は、一般的に、第２コンポーネント４４０においてバッテリ寿命を保ち、効率的な電力伝送を確かにし得る。これに関連して、第２インターフェイスマネージャ４４２は、第２コンポーネント４４０の電力需要を第１インターフェイスマネージャ４３２へ信号により知らせてよく、第１インターフェイスマネージャ４３２は、その情報を使用して、複数の第２コンポーネント４４０（例えば、複数のデジタルページ）の間で電力供給を優先順位付けし得る。表されている第１コンポーネント４２８は、第２コンポーネント４４０が第１コンポーネント４２８に取り付けられているかどうかを判定する接続コントローラ４５２を更に含む。接続コントローラ４５２は、例えば、ホール（Hall）センサ、リード（Reed）スイッチ、などを含んでよい。第１インターフェイスマネージャ４３２は、接続コントローラ４５２からの情報を使用して、電力要求を更に優先順位付けしてよい。
【００５５】
図３１は、モバイルシステムの作動方法４５４を示す。方法４５４は、一般的に、例えば、既に論じられたコンテンツコントローラ１９２（図１１Ｃ）のような、コンテンツコントローラにおいて実装されてよい。より具体的には、方法４５４は、ランダムアクセスメモリ（ＲＡＭ）、リードオンリーメモリ（ＲＯＭ）、プログラム可能ＲＯＭ（ＰＲＯＭ）、ファームウェア、フラッシュメモリ、などのようなマシン又はコンピュータ読出可能な記憶媒体に記憶されているロジック命令の組として１つ以上のモジュールにおいて、例えば、プログラム可能論理アレイ（ＰＬＡ）、フィールドプログラマブルゲートアレイ（ＦＰＧＡ）、複数プログラム可能論理デバイス（ＣＰＬＤ）のような構成可能なロジックにおいて、例えば、特定用途向け集積回路（ＡＳＩＣ）、相補型金属酸化膜半導体（ＣＭＯＳ）若しくはトランジスタ−トランジスタロジック（ＴＴＬ）テクノロジ、又はそれらのあらゆる組み合わせのような回路テクノロジを使用する固定機能ロジックハードウェアにおいて、実装されてよい。
【００５６】
表されている処理ブロック４５６は、デジタルページに対するイベントを検出することを提供する。イベントは、例えば、デジタルページの動き、ユーザ生成データ、など、又はそれらのあらゆる組み合わせを含んでよく、ブロック４５６は、イベントを、ページフリップ、データ取得要求、データ送信要求、などとして解釈することを含んでよい。ブロック４５８は、イベントに応答して、デジタルページの第１及び／又は第２フレキシブルディスプレイで提示されているコンテンツを変更してよい。
【００５７】
［使用モデル］
ノートを読むこと及び取ること：ユーザはテキスト（教科書、例えば、教室の教師からの、投影、など）を読んでおり、ノートを取りたいと思う。“空白”ページを得るための様々な方法がある。現在のページの後ろからページを取り外すことは、デフォルトで空白ページを生成してよい。取り外されたページにおいてユーザがノートを取る場合に、モバイルシステムに示されているページはセーブされ、ユーザがノートを注釈としてテキストに事実上加えること、又はモバイルシステムからのテキストページを取り外されたページへ移すこと（例えば、スワイプ動作）を可能にする。ユーザはまた、テキスト自体において直接に注釈及びハイライトを付し、洗練された参照により範囲をマークし、及び／又は取り外されたページ上で更なる詳細を記録／描画してよい。取り外されたページを左にめくることは、ユーザがノートをとり続けることを可能にし得る。取り外されたページを右にめくることは、前のコンテンツへ転換する。オーディオ／ビデオ記録はまた、オプションであってよい。取り外されたページがスパインに再び取り付けられる場合に、ノートは、示されているページの隣に現れる。複数ページのノートがある場合には、それらのノートはこの場合に数ページにわたって表示されてよい。ノートが様々なページへの参照を含む場合には、ノートは本の至る所で示されてよい。テキストとともにノートを示すこと、又は本へのアクセスを伴った密接した文書としてノートを示すことのような、様々な表示モードが存在してよい。学習中に、ノートはメイン文書となる（例えば、教科書は参考資料である。）。書き込まれたテキストは、機械読み出し可能なコードに変換され、（例えば、オーディオキューを介して）索引付けされてよい。
【００５８】
ページを読むこと及びピン留めすること：ユーザはテキストを読んでおり、参照用のメイン本の隣に１ページ（例えば、グラフを含む。）を置きたいと望む。（例えば、可とう性エクステンションの右上での）ピンチ、及び磁気取り付け点を南北方向に移動させるジェスチャによれば、ユーザはページを“破り取る”ことになる。取り外されると、ユーザは依然として、破り取られたページをめくる能力を有している。このアプローチは、本を２つのデバイスにわたって事実上広げることである。可とう性エクステンションに対する他のジェスチャによれば、このページは消去され、ノートのために使用可能である。ページを“破り取る”ことの使用モデルに続いて、ユーザは、ページをモバイルシステムに戻したいと思うことがある。取り外されたページをモバイルシステムにおいて現在のアクティブなページの後ろに挿入することは、簡単にページを元に戻すことができる。上にページを挿入することは、取り外されたページをアクティブな参照にし得る。左手のページは、破り取られた／取り外されたページの前に来ることになるコンテンツを表示するよう更新されてよい。可とう性エクステンションによれば、並べた比較が開始されてよい。このアプローチは、グラフィカル情報をページにわたって移動させることによってコンテンツを操作する場合に有利であり得る。
【００５９】
共同的なデータレビュー：ユーザは、（例えば、診断書における）データを患者と一緒にレビューすることが可能であってよく、このとき、文書の順序は固定である。医師は、あるページに示されているＸ線画像上である範囲にマークを付す。医師は、２通りの方法、すなわち、ページを複製すること又は単にページを手渡すこと、でそのページをレビューし得る。ページを複製することは、相互的な議論が行われることを可能にする。この場合に、医師は、そのページを患者に手渡す。患者が画像をレビューしている間、医師は、他のデータをレビューし、診断書の別のページを見る。患者はページを医師に返す。医師が誤った場所にそのページを挿入する場合に、可とう性エクステンションはエラーを示す。可とう性エクステンションを折り曲げることによって、ページは元の場所に“再挿入される”。可とう性エクステンションが押される場合には、その位置は上書きされ、ページはこの新しい場所に挿入される。ページをその元の場所に再挿入する他の方法は、挿入の前にページを（振るジェスチャを介して、又は可とう性エクステンションを使用して）“クリア”することであってよい。クリアされたページはどこにでも挿入され得る。それが挿入される場合に、本に示されている現在のコンテンツは、それらの新しいページ上で続けられる。
【００６０】
ページを広げること：ユーザは、例えば、本から３ページを取り除いてよい。モバイルシステムに残されたページは、ノートを取るために使用される。この２次元機構において、夫々の角にある又はページ端に沿ったＩＲコンポーネント（受信／ＲＸ及び／又は送信／ＴＸ）は、ページがお互いに対するそれらの相対ポジション（距離ではなく方角）を決定することを可能にする。このアプローチは、コンテンツが、ディスプレイのサイズを有効に広げるために、夫々のページで実行されているアプリケーションによって移動及び／又は整列されることを可能にし得る。
【００６１】
３Ｄ  ＣＡＤ：ユーザは描画したいと思う。１ページは“図画キャンバス”であり、図画ページ以北の他のページは、写生される“参照画像”であり（例えば、スクリーンはわずかに上方へ傾けられる。）、図画キャンバスの右側のページは、“ツール及びカラーパレット”である。参照画像において、ユーザはズームインし、電子ペンを用いて３Ｄオブジェクトの周りの輪郭を描く。長い静的な押圧及び保持は、輪郭を選択することを可能にする。南へのスワイプによれば、スケッチが図画キャンバスにインポートする。図画キャンバスにおいて、ユーザはスケッチを中心に置く。ユーザは、右ページ上で“３Ｄツールボックス”（ツール及びカラーパレット）を選択する。ユーザは次いで、遠近感を設定し、エッジの相対長さをスケッチし、更なるオブジェクトを加える等を行い、そして、カラーパレットに切り替えて画像に彩色する。描画が完了すると、生成されたデータ及び状態を有するページが、本の右側の位置に挿入される。ファイルナビゲーションのオプションも存在する。
【００６２】
ペイント：ページは容量性であり、圧力に反応する。電子ブラシを用いて、ユーザは、ツール及びカラーパレットにおいて色を混ぜることができる。デジタルページは、ブラシの個々の毛のストロークとともに、圧力と、アクティブな色混合のためのペイントタイプ及びキャンバス上のオーバーレイとを捕捉する。この追加データは、彩色の写実的な再現を提供し得る。完了すると、彩色は図画フォルダに挿入され得る。後の時点で、ユーザは画像を変更したいと、あるいは、例えば、切り抜きしたいと望むことがある。先と同じくページアライメントを使用して、ユーザは画像を複製し、様々な範囲にズームインし、電子ブレード（イーブレード）及び電子ルーター（イールーター）を用いて正確に切り取ることができる。切り取りが行われると、取り除かれたコンテンツは、第３のページへ移動されるか、又はクリアされたページ上に再挿入され得る。
【００６３】
無限のページめくり：円筒形スパインは、ページがスパインの周囲全体を動かされることを可能にする。この動きの最も近い類似は、人々が新聞を読む方法であり、この方法では、ユーザは表紙を読み、ページを広げ、２ページを読み取る。ここで、ユーザは、ページを完全に折り返し、ページを開き直して２ページビューを得る。単ページビューについては、ユーザは、ページをひっくり返し続ける。このアプローチは、無限のページめくり経験を有効にまねる。
【００６４】
［付記及び例］
例１は、電子スパインと、該電子スパインへ着脱可能に取り付けられる可とう性のデジタルページとを有し、前記可とう性のデジタルページは、第１フレキシブルディスプレイを備えた第１の側と、第２フレキシブルディスプレイを備えた第２の側とを含む、対話型モバイルシステムを含んでよい。
【００６５】
例２は、例１に記載のモバイルシステムであって、磁気インターフェイスを更に含み、前記可とう性のデジタルページが、前記磁気インターフェイスを介して前記電子スパインへ着脱可能に取り付けられる、前記モバイルシステムを含んでよい。
【００６６】
例３は、例２に記載のモバイルシステムであって、前記磁気インターフェイスが、前記電子スパインの外部表面に隣接して長手方向に位置付けられた第１の複数の磁気要素と、前記可とう性のデジタルページのショルダーバンドに隣接して長手方向に位置付けられた第２の複数の磁気要素とを含み、前記第１の複数の磁気要素が、前記第２の複数の磁気要素と整列する、前記モバイルシステムを含んでよい。
【００６７】
例４は、例１に記載のモバイルシステムであって、前記電子スパインが、略平坦な外面を含み、前記可とう性のデジタルページのショルダーバンドが、前記電子スパインの周囲周りでスライド可能である、前記モバイルシステムを含んでよい。
【００６８】
例５は、例４に記載のモバイルシステムであって、前記電子スパインが、流体と、該流体の中で浮く金属物質とを更に含む、前記モバイルシステムを更に含んでよい。
【００６９】
例６は、例４に記載のモバイルシステムであって、前記電子スパインが、該電子スパインの前記周囲周りに形成された金属インレーを更に含む、前記モバイルシステムを更に含んでよい。
【００７０】
例７は、例４に記載のモバイルシステムであって、前記電子スパインが、該電子スパインの前記周囲に隣接して位置付けられた金属インサートを更に含む、前記モバイルシステムを含んでよい。
【００７１】
例８は、例１に記載のモバイルシステムであって、前記電子スパインが、１つ以上のソケットを画定する表面を含み、前記可とう性のデジタルページのショルダーバンドが、前記１つ以上のソケットのうちの１つの中に位置付けられる、前記モバイルシステムを含んでよい。
【００７２】
例９は、例８に記載のモバイルシステムであって、前記電子スパインが、複数のソケットを画定する表面を含み、当該モバイルシステムが、複数のデジタルページを更に含み、該複数のデジタルページが、前記複数のソケットのソケット数以下であるデジタルページ数を有する、前記モバイルシステムを含んでよい。
【００７３】
例１０は、例８に記載のモバイルシステムであって、前記可とう性のデジタルページが、前記第１ディスプレイ及び前記第２ディスプレイを含む前記可とう性のデジタルページの領域と前記ショルダーバンドとの間に位置付けられた伸縮自在のヘッドバンドを含む、前記モバイルシステムを含んでよい。
【００７４】
例１１は、例１に記載のモバイルシステムであって、前記電子スパインの外側プロファイルが、円筒形状、半円筒形状又は四角柱形状のうちの１つにおいて実質的に形成される、前記モバイルシステムを含んでよい。
【００７５】
例１２は、例１に記載のモバイルシステムであって、ワイヤレス通信インターフェイスを更に含み、前記電子スパイン及び前記可とう性のデジタルページが、前記ワイヤレス通信インターフェイスを介してデータを交換する、前記モバイルシステムを含んでよい。
【００７６】
例１３は、例１２に記載のモバイルシステムであって、前記ワイヤレス通信インターフェイスが、容量結合コンポーネント、電磁結合コンポーネント、光結合コンポーネント、赤外線結合コンポーネント又は短距離無線コンポーネントのうちの１つ以上を含む、前記モバイルシステムを含んでよい。
【００７７】
例１４は、例１２に記載のモバイルシステムであって、前記データが双方向で交換される、前記モバイルシステムを含んでよい。
【００７８】
例１５は、例１２に記載のモバイルシステムであって、前記データが、前記可とう性のデジタルページから前記電子スパインへ転送されるユーザ生成データを含み、該ユーザ生成データが、ブックマーク、手書きのメモ又はハイライトのうちの１つ以上を示す、前記モバイルシステムを含んでよい。
【００７９】
例１６は、例１に記載のモバイルシステムであって、前記可とう性のデジタルページに対するイベントを検出し、該イベントに応答して前記第１ディスプレイ又は前記第２ディスプレイのうちの１つ以上で提示されているコンテンツを変更するコンテンツコントローラを更に含む前記モバイルシステムを含んでよい。
【００８０】
例１７は、例１６に記載のモバイルシステムであって、前記イベントが、前記可とう性のデジタルページの動き又はユーザ生成データのうちの１つ以上を含み、前記コンテンツコントローラが、前記イベントを、ページフリップ、データ取得要求又はデータ送信要求のうちの１つ以上として解釈する、前記モバイルシステムを含んでよい。
【００８１】
例１８は、例１６に記載のモバイルシステムであって、前記コンテンツコントローラが前記電子スパイン内に位置付けられる、前記モバイルシステムを含んでよい。
【００８２】
例１９は、例１６に記載のモバイルシステムであって、前記コンテンツコントローラが、前記可とう性のデジタルページのショルダーバンド内に位置付けられる、前記モバイルシステムを含んでよい。
【００８３】
例２０は、例１６に記載のモバイルシステムであって、前記コンテンツコントローラが、ホストプロセッサ、グラフィクスアクセラレータ、メモリ又はオペレーティングシステムのうちの１つ以上において実装される、前記モバイルシステムを含んでよい。
【００８４】
例２１は、例１に記載のモバイルシステムであって、前記電子スパインに取り付けられた１つ以上の硬質カバーを更に含む前記モバイルシステムを含んでよい。
【００８５】
例２２は、例２１に記載のモバイルシステムであって、前記１つ以上の硬質カバーが、硬質ディスプレイを含むアクティブカバーを含み、前記可とう性のデジタルページが、キーボードを提示する、前記モバイルシステムを含んでよい。
【００８６】
例２３は、例２１に記載のモバイルシステムであって、パッシブカバーを更に含み、該パッシブカバーはカスタマイズ可能な外面を含む、前記モバイルシステムを含んでよい。
【００８７】
例２４は、例２３に記載のモバイルシステムであって、前記カスタマイズ可能な外面は、布、皮、キャンバス又はアクリルのうちの１つ以上を含む、前記モバイルシステムを含んでよい。
【００８８】
例２５は、例１に記載のモバイルシステムであって、前記電子スパインへ結合された複数のデジタルページを更に含み、該複数のデジタルページの夫々が、メディアコンテンツの異なるページを提示する、前記モバイルシステムを含んでよい。
【００８９】
例２６は、例１に記載のモバイルシステムであって、前記第１フレキシブルディスプレイが、第１のテクスチャード加工のタッチ面を含み、前記第２フレキシブルディスプレイが、第２のテクスチャード加工のタッチ面を含む、前記モバイルシステムを含んでよい。
【００９０】
例２７は、例２６に記載のモバイルシステムであって、前記第１のテクスチャード加工のタッチ面が、前記第１フレキシブルディスプレイが非アクティブ化されているときに入力を捕捉し、前記第２のテクスチャード加工のタッチ面が、前記第２フレキシブルディスプレイが非アクティブ化されているときに入力を捕捉する、前記モバイルシステムを含んでよい。
【００９１】
例２８は、例１に記載のモバイルシステムであって、前記第１フレキシブルディスプレイの第１タッチ面へ結合されたひずみゲージの第１アレイであり、該ひずみゲージの第１アレイが前記第１フレキシブルディスプレイと筆記用具との間の接触を定量化する、前記ひずみゲージの第１アレイと、前記第２フレキシブルディスプレイの第２タッチ面へ結合されたひずみゲージの第２アレイであり、該ひずみゲージの第２アレイが前記第２フレキシブルディスプレイと前記筆記用具との間の接触を定量化する、前記ひずみゲージの第２アレイとを更に含む前記モバイルシステムを含んでよい。
【００９２】
例２９は、例１乃至２８のうちのいずれか１例に記載のモバイルシステムであって、前記可とう性のデジタルページが、前記第１フレキシブルディスプレイ及び前記第２フレキシブルディスプレイを含む表示部分であり、該表示部分が内縁及び外縁を含む、前記表示部分と、前記電子スパイン及び前記表示部分の前記内縁へ結合されたショルダーバンドと、前記表示部分の前記外縁へ結合された可とう性のエクステンションとを更に含む、前記モバイルシステムを含んでよい。
【００９３】
例３０は、例２９に記載のモバイルシステムであって、前記可とう性のエクステンション内に位置付けられた１つ以上の発光ダイオード（ＬＥＤ）を更に含み、該１つ以上のＬＥＤが通知を生成する、前記モバイルシステムを含んでよい。
【００９４】
例３１は、例３０に記載のモバイルシステムであって、前記可とう性のエクステンション内に位置付けられた１つ以上の光検出器を更に含み、前記１つ以上のＬＥＤがアウトバウンドデータを更に送信し、前記１つ以上の光検出器がインバウンドデータを受信する、前記モバイルシステムを含んでよい。
【００９５】
例３２は、例３１に記載のモバイルシステムであって、前記インバウンドデータ及び前記アウトバウンドデータが、メディアコンテンツ、該メディアコンテンツへのブックマーク、前記メディアコンテンツに関する手書きのメモ、又は前記メディアコンテンツのハイライトのうちの１つ以上を示す、前記モバイルシステムを含んでよい。
【００９６】
例３３は、例３０に記載のモバイルシステムであって、前記１つ以上のＬＥＤが、前記可とう性のエクステンションに沿って長手方向に位置付けられた複数のＬＥＤを含む、前記モバイルシステムを含んでよい。
【００９７】
例３４は、例３３に記載のモバイルシステムであって、前記複数のＬＥＤのうちの２つ以上が異なる色の光を出力する、前記モバイルシステムを含んでよい。
【００９８】
例３５は、例３４に記載のモバイルシステムであって、異なる色の光がメディアコンテンツへの異なるブックマークを示す、前記モバイルシステムを含んでよい。
【００９９】
例３６は、例２９に記載のモバイルシステムであって、前記可とう性のエクステンションがテクスチャード加工の外面を含む、前記モバイルシステムを含んでよい。
【０１００】
例３７は、例２９に記載のモバイルシステムであって、前記可とう性のエクステンションの外側プロファイルが、三角柱形状において実質的に形成される、前記モバイルシステムを含んでよい。
【０１０１】
例３８は、例２９に記載のモバイルシステムであって、前記可とう性のエクステンションが、３次元（３Ｄ）ユーザ入力を検出し、該３Ｄユーザ入力をコンテンツコントローラへ送るエッジモニタを含む、前記モバイルシステムを含んでよい。
【０１０２】
例３９は、例３８に記載のモバイルシステムであって、前記エッジモニタ及び前記可とう性のエクステンションの筐体へ結合された１つ以上のセンサを更に含み、該１つ以上のセンサが、ひずみゲージ又は圧電トランスデューサのうちの１つ以上を含む、前記モバイルシステムを含んでよい。
【０１０３】
例４０は、例３８に記載のモバイルシステムであって、前記３Ｄユーザ入力が、前記可とう性のエクステンションの圧搾（squeeze）、前記可とう性のエクステンションの引っ張り（pull）、前記可とう性のエクステンションの軽打（flick）、前記可とう性のエクステンションのドラッグ（drag）、又は前記可とう性のエクステンションの折り曲げ（bend）のうちの１つ以上を含む、前記モバイルシステムを含んでよい。
【０１０４】
例４１は、例２９に記載のモバイルシステムであって、前記可とう性のエクステンションが触覚フィードバック要素を含む、前記モバイルシステムを含んでよい。
【０１０５】
例４２は、例２９に記載のモバイルシステムであって、前記ショルダーバンドが、メディアコンテンツに関連したページデータを記憶する不揮発性メモリと、前記可とう性のデジタルページの前記第１の側に位置付けられて、第１照度測定信号を生成する第１光センサと、前記可とう性のデジタルページの前記第２の側に位置付けられて、第２照度測定信号を生成する第２光センサと、モーション測定信号を生成するモーションセンサと、オペレーティングシステムを実行するホストプロセッサと、前記メディアコンテンツをフォーマットするグラフィクスアクセラレータと、前記オペレーティングシステムとともに、前記フォーマットされたメディアコンテンツを、前記第１照度測定信号、前記第２照度測定信号又は前記モーション測定信号のうちの１つ以上に基づき前記第１フレキシブルディスプレイ又は前記第２フレキシブルディスプレイのうちの１つ以上へ送るディスプレイドライバとを含む、前記モバイルシステムを含んでよい。
【０１０６】
例４３は、例４２に記載のモバイルシステムであって、前記ディスプレイドライバが、前記第１フレキシブルディスプレイが見られていないと前記第１照度測定信号が示す場合に該第１フレキシブルディスプレイを非アクティブにし、前記第２フレキシブルディスプレイが見られていないと前記第２照度測定信号が示す場合に該第２フレキシブルディスプレイを非アクティブにする、前記モバイルシステムを含んでよい。
【０１０７】
例４４は、例１乃至２８のうちのいずれか１例に記載のモバイルシステムであって、前記電子スパイン内に位置付けられた１つ以上の誘導電力送信器と、前記可とう性のデジタルページのショルダーバンド内に位置付けられた１つ以上の誘導電力受信器とを更に含む前記モバイルシステムを含んでよい。
【０１０８】
例４５は、例４４に記載のモバイルシステムであって、前記１つ以上の誘導電力送信器が、前記電子スパインの外部表面に隣接して長手方向に位置付けられた複数の誘導電力送信器を含み、前記１つ以上の誘導電力受信器が、前記可とう性のデジタルページの前記ショルダーバンドに隣接して長手方向に位置付けられた複数の誘導電力受信器を含み、前記複数の誘導電力送信器が、前記複数の誘導電力受信器と磁気的に整列する、前記モバイルシステムを含んでよい。
【０１０９】
例４６は、例４４に記載のモバイルシステムであって、前記電子スパインが、充電式バッテリと、スパインインターフェイスマネージャと、前記充電式バッテリ及び前記スパインインターフェイスマネージャへ結合された直流（ＤＣ）−交流（ＡＣ）コンバータとを含み、前記１つ以上の誘導電力送信器が、分離可能な変圧器コアと、前記ＤＣ−ＡＣコンバータへ結合された１つ以上の巻線とを含む、前記モバイルシステムを含んでよい。
【０１１０】
例４７は、例４４に記載のモバイルシステムであって、前記１つ以上の誘導電力受信器が、分離可能な変圧器コア及び１つ以上の巻線とを含み、前記ショルダーバンドが、ページインターフェイスマネージャと、前記１つ以上の巻線及び前記ページインターフェイスマネージャへ結合された交流（ＡＣ）−直流（ＤＣ）コンバータと、該ＡＣ−ＤＣコンバータへ結合されて、前記可とう性のデジタルページに給電する電荷蓄積コンポーネントとを含む、前記モバイルシステムを含んでよい。
【０１１１】
例４８は、例４４に記載のモバイルシステムであって、前記可とう性のデジタルページが前記電子スパインへ取り付けられているかどうかを判定する接続コントローラを更に含む前記モバイルシステムを含んでよい。
【０１１２】
例４９は、例４８に記載のモバイルシステムであって、前記接続コントローラが、ホールセンサ又はリードスイッチのうちの１つ以上を含む、前記モバイルシステムを含んでよい。
【０１１３】
例５０は、例４４に記載のモバイルシステムであって、前記電子スパイン及び前記可とう性のデジタルページが、前記１つ以上の誘導電力送信器及び前記１つ以上の誘導電力受信器を介してデータを交換する、前記モバイルシステムを含んでよい。
【０１１４】
例５１は、例１乃至２８のうちのいずれか１例に記載のモバイルシステムであって、前記電子スパインへ結合された第１カメラと、前記第１フレキシブルディスプレイへ結合された第２カメラと、前記第２フレキシブルディスプレイへ結合された第３カメラとを更に含む前記モバイルシステムを含んでよい。
【０１１５】
例５２は、例５１に記載のモバイルシステムであって、前記電子スパインが、前記第１カメラ、前記第２カメラ又は前記第３カメラのうちの１つ以上からの信号に基づき前記可とう性のデジタルページのポジションを決定する、前記モバイルシステムを含んでよい。
【０１１６】
例５３は、１つ以上のディスプレイ及び外縁を含む電子サブシステムと、該電子サブシステムの前記外縁へ結合された可とう性のエクステンションと、該可とう性のエクステンション内に位置付けられた１つ以上の発光ダイオード（ＬＥＤ）とを有する対話型モバイルシステムを含んでよい。
【０１１７】
例５４は、例５３に記載のモバイルシステムであって、前記１つ以上のＬＥＤが通知を生成する、前記モバイルシステムを含んでよい。
【０１１８】
例５５は、例５４に記載のモバイルシステムであって、前記可とう性のエクステンション内に位置付けられた１つ以上の光検出器を更に含み、前記１つ以上のＬＥＤがアウトバウンドデータを更に送信し、前記１つ以上の光検出器がインバウンドデータを受信する、前記モバイルシステムを含んでよい。
【０１１９】
例５６は、例５５に記載のモバイルシステムであって、前記インバウンドデータ及び前記アウトバウンドデータが、メディアコンテンツ、該メディアコンテンツへのブックマーク、前記メディアコンテンツに関する手書きのメモ又は前記メディアコンテンツのハイライトのうちの１つ以上を示す、前記モバイルシステムを含んでよい。
【０１２０】
例５７は、例５３に記載のモバイルシステムであって、前記１つ以上のＬＥＤが、前記可とう性のエクステンションに沿って長手方向に位置付けられた複数のＬＥＤを含む、前記モバイルシステムを含んでよい。
【０１２１】
例５８は、例５７に記載のモバイルシステムであって、前記複数のＬＥＤのうちの２つ以上が異なる色の光を出力する、前記モバイルシステムを含んでよい。
【０１２２】
例５９は、例５８に記載のモバイルシステムであって、異なる色の光がメディアコンテンツへの異なるブックマークを示す、前記モバイルシステムを含んでよい。
【０１２３】
例６０は、例５３に記載のモバイルシステムであって、前記可とう性のエクステンションがテクスチャード加工の外面を含む、前記モバイルシステムを含んでよい。
【０１２４】
例６１は、例５３に記載のモバイルシステムであって、前記可とう性のエクステンションの外側プロファイルが、三角柱形状において実質的に形成される、前記モバイルシステムを含んでよい。
【０１２５】
例６２は、例５３に記載のモバイルシステムであって、前記可とう性のエクステンションが、３次元（３Ｄ）ユーザ入力を検出し、該３Ｄユーザ入力をコンテンツコントローラへ送るエッジモニタを含む、前記モバイルシステムを含んでよい。
【０１２６】
例６３は、例６２に記載のモバイルシステムであって、前記エッジモニタ及び前記可とう性のエクステンションの筐体へ結合された１つ以上のセンサを更に含み、該１つ以上のセンサが、ひずみゲージ又は圧電トランスデューサのうちの１つ以上を含む、前記モバイルシステムを含んでよい。
【０１２７】
例６４は、例６２に記載のモバイルシステムであって、前記３Ｄユーザ入力が、前記可とう性のエクステンションの圧搾、前記可とう性のエクステンションの引っ張り、前記可とう性のエクステンションの軽打、前記可とう性のエクステンションのドラッグ、又は前記可とう性のエクステンションの折り曲げのうちの１つ以上を含む、前記モバイルシステムを含んでよい。
【０１２８】
例６５は、例５３に記載のモバイルシステムであって、前記可とう性のエクステンションが触覚フィードバック要素を含む、前記モバイルシステムを含んでよい。
【０１２９】
例６６は、例５３乃至６３のうちのいずれか１例に記載のモバイルシステムであって、前記電子サブシステムの第１コンポーネント内に位置付けられた１つ以上の誘導電力送信器と、前記電子サブシステムの第２コンポーネント内に位置付けられた１つ以上の誘導電力受信器とを更に含む前記モバイルシステムを含んでよい。
【０１３０】
例６７は、例６６に記載のモバイルシステムであって、前記第１コンポーネントの外部表面に隣接して長手方向に位置付けられた複数の誘導電力送信器と、前記第２コンポーネントの外部表面に隣接して長手方向に位置付けられた複数の誘導電力受信器とを更に含み、前記複数の誘導電力送信器が前記複数の誘導電力受信器と整列する、前記モバイルシステムを含んでよい。
【０１３１】
例６８は、例６６に記載のモバイルシステムであって、前記第１コンポーネントが、充電式バッテリと、第１インターフェイスマネージャと、前記充電式バッテリ及び前記第１インターフェイスマネージャへ結合された直流（ＤＣ）−交流（ＡＣ）コンバータとを含み、前記１つ以上の誘導電力送信器が、分離可能な変圧器コアと、前記ＤＣ−ＡＣコンバータへ結合された１つ以上の巻線とを含む、前記モバイルシステムを含んでよい。
【０１３２】
例６９は、例６６に記載のモバイルシステムであって、前記１つ以上の誘導電力受信器が、分離可能な変圧器コア及び１つ以上の巻線とを含み、前記第２コンポーネントが、第２インターフェイスマネージャと、前記１つ以上の巻線及び前記第２インターフェイスマネージャへ結合された交流（ＡＣ）−直流（ＤＣ）コンバータと、該ＡＣ−ＤＣコンバータへ結合されて、前記第２コンポーネントに給電する電荷蓄積コンポーネントとを含む、前記モバイルシステムを含んでよい。
【０１３３】
例７０は、例６６に記載のモバイルシステムであって、前記第２コンポーネントが前記第１コンポーネントへ取り付けられているかどうかを判定する接続コントローラを更に含む前記モバイルシステムを含んでよい。
【０１３４】
例７１は、例７０に記載のモバイルシステムであって、前記接続コントローラが、ホールセンサ又はリードスイッチのうちの１つ以上を含む、前記モバイルシステムを含んでよい。
【０１３５】
例７２は、例６６に記載のモバイルシステムであって、前記第１コンポーネント及び前記第２コンポーネントが、前記１つ以上の誘導電力送信器及び前記１つ以上の誘導電力受信器を介してデータを交換する、前記モバイルシステムを含んでよい。
【０１３６】
例７３は、第１コンポーネント内に位置付けられた１つ以上の誘導電力送信器と、第２コンポーネント内に位置付けられた１つ以上の誘導電力受信器とを有し、前記１つ以上の誘導電力送信器が、前記１つ以上の誘導電力受信器と磁気的に整列する、対話型モバイルシステムを含んでよい。
【０１３７】
例７４は、例７３に記載のモバイルシステムであって、前記１つ以上の誘導電力送信器が、前記第１コンポーネントの外部表面に隣接して長手方向に位置付けられた複数の誘導電力送信器を含み、前記１つ以上の誘導電力受信器が、前記第２コンポーネントのショルダーバンドに隣接して長手方向に位置付けられた複数の誘導電力受信器を含み、前記複数の誘導電力送信器が、前記複数の誘導電力受信器と磁気的に整列する、前記モバイルシステムを含んでよい。
【０１３８】
例７５は、例７３に記載のモバイルシステムであって、前記第１コンポーネントが、充電式バッテリと、第１インターフェイスマネージャと、前記充電式バッテリ及び前記第１インターフェイスマネージャへ結合された直流（ＤＣ）−交流（ＡＣ）コンバータとを含み、前記１つ以上の誘導電力送信器が、分離可能な変圧器コアと、前記ＤＣ−ＡＣコンバータへ結合された１つ以上の巻線とを含む、前記モバイルシステムを含んでよい。
【０１３９】
例７６は、例７３に記載のモバイルシステムであって、前記１つ以上の誘導電力受信器が、分離可能な変圧器コア及び１つ以上の巻線とを含み、前記第２コンポーネントが、第２インターフェイスマネージャと、前記１つ以上の巻線及び前記第２インターフェイスマネージャへ結合された交流（ＡＣ）−直流（ＤＣ）コンバータと、該ＡＣ−ＤＣコンバータへ結合されて、前記第２コンポーネントに給電する電荷蓄積コンポーネントとを含む、前記モバイルシステムを含んでよい。
【０１４０】
例７７は、例７３に記載のモバイルシステムであって、前記第２コンポーネントが前記第１コンポーネントへ取り付けられているかどうかを判定する接続コントローラを更に含む前記モバイルシステムを含んでよい。
【０１４１】
例７８は、例７７に記載のモバイルシステムであって、前記接続コントローラが、ホールセンサ又はリードスイッチのうちの１つ以上を含む、前記モバイルシステムを含んでよい。
【０１４２】
例７９は、例７３に記載のモバイルシステムであって、前記第１コンポーネント及び前記第２コンポーネントが、前記１つ以上の誘導電力送信器及び前記１つ以上の誘導電力受信器を介してデータを交換する、前記モバイルシステムを含んでよい。
【０１４３】
実施形態は、全てのタイプの半導体集積回路（“ＩＣ”）チップとともに使用するために適用可能である。それらのＩＣチップの例には、制限なしに、プロセッサ、コントローラ、チップセットコンポーネント、プログラム可能なロジックアレイ（ＰＬＡ）、メモリチップ、ネットワークチップ、システム・オン・チップ（ＳｏＣ）、ＳＳＤ／ＮＡＮＤコントローラＡＳＩＣ、などが含まれる。その上、図面のいくつかにおいて、信号導線は線で表現されている。いくつかは、更なる構成信号パスを示すために異なり、多数の構成信号パスを示すために番号ラベルを有し、及び／又は主たる情報フロー方向を示すために１つ以上の端部で矢印を有することがある。これは、しかし、制限的な方法で解釈されるべきではない。むしろ、そのような付加的な詳細は、回路のより容易な理解を促すよう、１つ以上の例となる実施形態に関連して使用され得る。如何なる表されている信号線も、追加情報を有していようとなかろうと、複数の方向において進むことができ、適切なタイプの信号スキーム、例えば、異なる対で実装されるデジタル若しくはアナログ回線、光ファイバ回線、及び／又はシングルエンド回線により実装可能である１つ以上の信号を実際のところ有し得る。
【０１４４】
例となるサイズ／モデル／値／範囲が与えられているが、実施形態はこれらに限られない。製造技術（例えば、フォトリソグラフィ）が時間とともに成熟するにつれて、より小さいサイズのデバイスが製造され得ると期待される。その上、ＩＣチップ及び他のコンポーネントへのよく知られている電力／接地接続は、実例及び議論の簡単のために、且つ、実施形態の特定の態様を不明りょうにしないために、図中に示されても示されなくてもよい。更に、配置は、実施形態を不明りょうにすることを回避するためにブロック図形式で、更には、そのようなブロック図配置の実装に対する仕様が、実施形態が実装されるべきプラットフォームに大いに依存する、すなわち、そのような仕様が十分に当業者の視界範囲内にあるべきである、という事実を考慮して、示され得る。具体的な詳細（例えば、回路）が例となる実施形態を記載するために示される場合に、当業者に当然ながら、実施形態は、それらの具体的な詳細によらずに、又はそれらの具体的な詳細の変形例により実施可能である。よって、明細書は、制限ではなく実例と見なされるべきである。
【０１４５】
語“結合される（coupled）”は、問題となっているコンポーネント間の直接的又は間接的なあらゆるタイプの関係も指すために本願では使用されてよく、電気的な、機械的な、流体的な、光学的な、電磁気的な、電気機械的な又は他の接続に当てはまり得る。その上、語“第１”、“第２”などは、もっぱら議論を簡単にするために本願では使用され、別段示されない限りは、特定の時間的又は経時的な意義を伝えない。
【０１４６】
前述の記載から当業者に明らかなように、実施形態の広い技術は様々な形で実装可能である。従って、実施形態は、その特定の例に関連して記載されているが、一方で、実施形態の真の適用範囲は、他の変更が図面、明細書、及び続く特許請求の範囲の検討時に当業者に明らかなるだろうから、そのように制限されるべきではない。
【０１４７】
［関連出願の相互参照］
本願は、２０１６年６月２０日付けで出願された米国非仮特許出願第１５／１８６５９７号の優先権の利益を主張する。
【図１】
2019527372.tif 000003
【図２Ａ】
2019527372.tif 000004
【図２Ｂ】
2019527372.tif 000005
【図３】
2019527372.tif 000006
【図４】
2019527372.tif 000007
【図５Ａ】
2019527372.tif 000008
【図５Ｂ】
2019527372.tif 000009
【図６】
2019527372.tif 000010
【図７】
2019527372.tif 000011
【図８Ａ】
2019527372.tif 000012
【図８Ｂ】
2019527372.tif 000013
【図９】
2019527372.tif 000014
【図１０Ａ】
2019527372.tif 000015
【図１０Ｂ】
2019527372.tif 000016
【図１０Ｃ】
2019527372.tif 000017
【図１１Ａ】
2019527372.tif 000018
【図１１Ｂ】
2019527372.tif 000019
【図１１Ｃ】
2019527372.tif 000020
【図１２】
2019527372.tif 000021
【図１３】
2019527372.tif 000022
【図１４】
2019527372.tif 000023
【図１５Ａ】
2019527372.tif 000024
【図１５Ｂ】
2019527372.tif 000025
【図１５Ｃ】
2019527372.tif 000026
【図１６】
2019527372.tif 000027
【図１７Ａ】
2019527372.tif 000028
【図１７Ｂ】
2019527372.tif 000029
【図１８Ａ】
2019527372.tif 000030
【図１８Ｂ】
2019527372.tif 000031
【図１８Ｃ】
2019527372.tif 000032
【図１９】
2019527372.tif 000033
【図２０Ａ】
2019527372.tif 000034
【図２０Ｂ】
2019527372.tif 000035
【図２０Ｃ】
2019527372.tif 000036
【図２０Ｄ】
2019527372.tif 000037
【図２０Ｅ】
2019527372.tif 000038
【図２１Ａ】
2019527372.tif 000039
【図２１Ｂ】
2019527372.tif 000040
【図２１Ｃ】
2019527372.tif 000041
【図２２】
2019527372.tif 000042
【図２３】
2019527372.tif 000043
【図２４Ａ】
2019527372.tif 000044
【図２４Ｂ】
2019527372.tif 000045
【図２５】
2019527372.tif 000046
【図２６】
2019527372.tif 000047
【図２７】
2019527372.tif 000048
【図２８】
2019527372.tif 000049
【図２９】
2019527372.tif 000050
【図３０】
2019527372.tif 000051
【図３１】
2019527372.tif 000052
【国際調査報告】
2019527372.tif 000053
2019527372.tif 000054
2019527372.tif 000055
2019527372.tif 000056
2019527372.tif 000057
2019527372.tif 000058
2019527372.tif 000059
2019527372.tif 000060
2019527372.tif 000061
2019527372.tif 000062